(57)【要約】【課題】カビが発生しない合成樹脂を使用し、しかも壁紙クロスの接着性を向上させたシステム収納枠体結合用ボード受けフレームを提供する。【解決手段】長手方向に沿って壁ボード受け面とシステム収納枠体板面の当接面を形成した合成樹脂製フレームからなり、ボード組み付けの納まり部における壁紙クロスの延長片貼り付け面に、クロス裏紙面を糊付けするための下地紙を予め貼り付ける。【選択図】図１
0003105692.tif 000002
【実用新案登録請求の範囲】
【請求項１】
長手方向に沿って壁ボード受け面とシステム収納枠体板面の当接面を形成した合成樹脂製フレームからなり、ボード組み付けの納まり部における壁紙クロスの延長片貼り付け面に、クロス裏紙面を糊付けするための下地紙を予め貼り付けてあることを特徴とする壁組込式システム収納枠体のボード受けフレーム
【請求項２】
長手方向に沿って壁ボード受け面とシステム収納枠体板面の当接面を形成した合成樹脂製フレームからなり、ボード組み付けの納まり部における壁紙クロスの延長片貼り付け面に、クロス裏紙面を糊付けするための下地紙を予め貼り付けるとともに、システム収納枠体板面の当接面のフレーム裏面に、システム収納枠体板面を結合するビスの先端側を受入れる連続または非連続のビス受け溝を予め形成したことを特徴とする壁組込式システム収納枠体のボード受けフレーム
【請求項３】
ボード受けフレームの主材料が、合成樹脂容器などの廃材のリサイクル加工材であることを特徴とする請求項１又は２記載の壁組込式システム収納枠体のボード受けフレーム
【考案の詳細な説明】
【技術分野】
【０００１】
本考案は、壁の開口部にクローゼットなどのシステム収納枠体を組付けるためのボード受けフレームに関し、特に、開口縁に露出する合成樹脂フレーム面に壁ボードの壁クロス延長縁辺を一体に貼り合わせるボード受けフレームに関する。
【背景技術】
【０００２】
近年、住宅建造物の物品収納部は和式の押入れ構造に代わって、壁をくり抜いた開口部にクローゼットなどのシステム収納庫を組み込む洋式のものが多く採用されるようになっている。
このステム収納庫は、図４に示すように、内部を所望の収納室に区画し、扉、棚、引出し、ハンガーパイプなどの部材を組み込んだ収納枠体ａを、壁ｂをくり抜いた開口部ｃに組入れて設置するもので、使い勝手がよく、扉を閉めると平坦面で見栄えがよいといった多くの利点を備えている。
【考案の開示】
【考案が解決しようとする課題】
【０００３】
この種のシステム収納枠体は壁をくり抜いた開口部に納めるため、枠体の縁と壁ボード開口縁辺を結合するのにボード受けフレームが使用される。
このボード受けフレームは、収納枠体の枠板に固定される面と壁ボード縁辺を当接する面を長手方向に沿って形成してなり、このボード受けフレームを介してシステム収納枠体と壁ボードを結合するものであるが、ボード受けフレームの縁は美感上、外面に表れないように壁ボードのクロス縁辺で被覆する必要がある。
【０００４】
従来のボード受けフレームは、壁ボードのクロス壁紙が接着し易いＭＤＦ（ｍｅｄｉｕｍ  ｄｅｎｓｉｔｙ  ｆｉｂｅｒ）材を使用していたが、ＭＤＦ材は木製繊維を中密度に圧縮成形した有機質材であり、水分吸収率が高いためカビが発生し易く、また、長期使用に耐え得ないという欠点があった。従来はカビの発生を抑制するためにＭＤＦ素材にホルマリン系の接着剤が使用されていたが、ホルマリンは環境ホルモンなどの原因物質とされ、その使用量が制限されたため、カビが生え易くなっている。
【０００５】
この問題に対応するためボード受けフレームを支持強度のある合成樹脂、特に、処分に困っている合成樹脂廃材を再利用して成形することが提案されているが、プラスチック材のボード受けと壁クロスの裏紙は材質が異なるので接着しにくいという問題がある。これを解消するためにボード受けフレームの糊付け面を粗面に加工したり、溝を切ったりして、接着強度の向上を試みたが、短時間で剥がれてしまい、満足のゆく解決には至っていない。
【０００６】
従って、本考案の目的は、ボード受けフレームをプラスチック容器などの廃材をリサイクル加工して成形できる硬質プラスチック材で構成するとともに、所望の面に壁クロスの裏紙を良好に接着させることができるボード受けフレームを提供することにある。
【課題を解決するための手段】
【０００７】
上記目的を達成するために、本考案の壁組込式システム収納枠体のボード受けフレームは、長手方向に沿って壁ボード受け面とシステム収納枠体板面の当接面を形成した合成樹脂製フレームからなり、ボード組み付けの納まり部における壁紙クロスの延長片貼り付け面に、クロス裏紙面を糊付けするための下地紙を予め貼り付けてあることを特徴とする。
【０００８】
本考案の上記ボード受けフレームの主材料は、好ましくはプラスチック製包装容器などの廃材をリサイクル加工したポリスチレンなどの合成樹脂を使用する。
【０００９】
また、本考案のボード受けフレームは、ボード受けフレームのシステム収納枠体板面の当接面に、システム収納枠体板面を結合するビスの先端側を受入れる連続または非連続のビス受け溝を、好ましくは当接面の中央部長手方向に形成してもよい。
【考案の効果】
【００１０】
本考案のボード受けフレームは合成樹脂で成形されているので丈夫で耐水性に富む。このため、カビが発生しにくく、また、耐用期間が著しく向上する。
【００１１】
また、本考案のボード受けフレームは、クロス壁紙を延長して接合する面に予め下地紙を貼り付けてあるのでクロス壁紙の接着性が著しく向上する。従って、システム収納枠体の納まりがよく、長期間使用しても美感が保持される。
【００１２】
図２、図３実施例では、システム収納枠体板面（側板５、天板６）とボード受けフレーム１の枠受け面７を結合するビス１１を枠体板面側から打ち込んでいるが、図７のようにボード受けフレーム１のフレーム裏面１３側から枠体板面に打ち込んで結合する場合もある。この場合、ボード受けフレーム１は硬質でビス１１が滑り易いので、フレーム裏面１３の好ましくは軸方向に連続又は非連続のビス受け溝１４を形成してもよい。これにより、結合作業がし易く、位置決め及び納まりがよくなる。
【００１３】
さらに、プラスチック製食品包装容器などの廃材を利用して再生使用できるので、環境保全や資源の有効利用に貢献できる。
【考案を実施するための最良の形態】
【００１４】
以下、本考案の実施例を添付図面に基づいて説明する。
図１は本考案の一実施例によるボード受けフレーム１の概略斜視図を示すもので、所定長さの合成樹脂製フレーム本体２の長手方向に、プラスタボードなどの壁ボード３の先端面を係合させるＬ字状ボード受け面４と、システム収納枠体ａの側板５や天板６を係着させる枠受け面７を、好ましくは図のように切り欠き状に形成してある。
【００１５】
本考案によるボード受けフレーム１のフレーム本体２は、資源リサイクルの面から、好ましくは、プラスチック包装容器などの合成樹脂材の廃品を再生加工して成形することができる。
【００１６】
フレーム本体２のボード受け面４は、好ましくは、壁ボード３の厚みと同等の深さのＬ字状切り欠き面からなり、ボード受け面４の切り欠きＬ字面に壁ボード３の先端縁辺を当接係合させたときに壁ボード３の表面とこれに連なるフレーム本体２の面が平坦に納まるように形成されている。
【００１７】
上記の構成になるボード受けフレーム１は、システム収納枠体ａの側板５や天板６へのボード組み付けの納まり部において、システム収納枠体ａと壁ボード３を結合するボード受けフレーム１の露出面８を、壁ボード３から延長させた壁紙クロス９で一体に被覆して接続部の密閉と美感を保持している。このためには、壁紙クロス９をボード受けフレーム１の露出面８に接着する必要があるが、合成樹脂フレームを使用する本考案では壁紙クロス９がボード受けフレーム１の合成樹脂露出面８には付きにくいという問題を解決しなければならない。
この問題を解決するために本考案のボード受けフレーム１は、壁ボード３の壁紙クロス９を接着する上記露出面８に予め下地紙１０を強固に接合貼着し、壁ボード３から延長させた壁紙クロス９を、この下地紙１０を介してボード受けフレーム１の前記露出面８に接着されるようにしてある。
【００１８】
図２は、本考案のボード受けフレーム１を用いてシステム収納枠体ａの側板５と壁ボード３を接続する実施例を示すもので、システム収納枠体ａの側板５先端をボード受けフレーム１の切り欠き状のＬ字枠受け面７に当接し、ボード受けフレーム１を側板５にビス１１等で固定する。この場合、側板５の板厚の約半分が枠受け面７に納まり、残りの板厚がボード受けフレーム１の内側へ突出してシステム収納枠体ａの扉１２の受け面を形成するようにしてある。
【００１９】
他方、建物支柱に固定された壁ボード３の先端縁辺はボード受けフレーム１の前記Ｌ字状ボード受け面４に当接し、壁ボード３に貼った壁紙クロス９の延長縁辺を、ボード受けフレーム１の露出面８に貼った前記下地紙１０に接合貼着する。
【００２０】
前記のように、壁ボード３とボード受けフレーム１の露出面８の接続面は平坦であり、また、壁ボード３の壁紙クロス９裏紙と、ボード受けフレーム１の露出面８に予め貼ってある下地紙１０は糊などで接着される紙面同士であるため、壁ボード３の壁紙クロス９はボート受けフレーム１の前面及び側面まで隙間なく貼着され、壁ボード３とシステム収納枠体ａはボード受けフレーム１の下地紙を介して強固に結合される。
【００２１】
図３はシステム収納枠体ａの天板６と壁ボード３を接続する実施例を示すもので、この場合は、天板６の板厚の半分をボード受けフレーム１のＬ字枠受け面７に当接してボード受けフレーム１を水平方向に挟んで建物桟ｄにビス１１等で固定する。天板６の先端露出面は扉１２の受け面となる。他方、システム収納枠体ａ上方の壁ボード３はボード受けフレーム１のＬ字状ボード受け面４に当接し、壁ボード３の壁紙クロス９の延長縁辺は、ボード受けフレーム１の前面と下面に表われる露出面８の下地紙１０に強固に糊付けされ、壁ボード３とシステム収納枠体ａはボード受けフレーム１を介して壁紙クロス９で隙間なく被覆される。
【００２２】
図の実施例では長手方向に二列の切り欠きＬ字面を形成し、二つの面に下地紙１０を貼るボード受けフレームを例示したが、ボード受けフレーム１とシステム収納枠体ａの結合位置によって他の断面形状及び下地紙添付面を持つもの（例えば、図５、図６）もあり得る。
【産業上の利用可能性】
【００２３】
住宅の洋式化に伴ないシステム収納庫はその利便性と相俟って今後、益々普及する傾向にある。
一方、本考案のボード受けフレームは、従来のボード受けフレームの問題点であった環境汚染、耐久性を克服し、さらに、プラスチックを素材としながら壁紙クロスとの接着性を向上させたことによりその実用性は甚大である。
また、プラスチック廃材を有効利用することにより環境保全、コスト削減に貢献できるものである。
【図面の簡単な説明】
【００２４】
【図１】本考案の一実施例によるボード受けフレームの概略構成図
【図２】本考案によるボード受けフレームの使用例を示す図４Ａ−Ａ拡大断面図
【図３】本考案によるボード受けフレームの使用例を示す図４Ｂ−Ｂ拡大断面図
【図４】システム収納枠体の納まり外観図
【図５】他の実施例によるボード受けフレームの断面図
【図６】他の実施例によるボード受けフレームの断面図
【図７】他の実施例によるボード受けフレームの要部斜視図
【符号の説明】
【００２５】
１…ボード受けフレーム
２…フレーム本体
３…壁ボード
４…ボード受け面
５…側板
６…天板
７…枠受け面
８…露出面
９…壁紙クロス
１０…下地紙
１１…ビス
１２…扉
１３…フレーム裏面
１４…ビス受け溝
ａ…システム収納枠体
ｂ…壁
ｃ…開口部
ｄ…建物桟
【図１】
0003105692.tif 000003
【図２】
0003105692.tif 000004
【図３】
0003105692.tif 000005
【図４】
0003105692.tif 000006
【図５】
0003105692.tif 000007
【図６】
0003105692.tif 000008
【図７】
0003105692.tif 000009